(57)【要約】【課題】例えばホームシアターシステム等に採用できる音声出力システムとして、ケーブルの配線を最小限もしくは不要としつつ、高品位な音声出力を可能とする。【解決手段】前方音のチャンネルの音声データと後方音のチャンネルの音声データを含む複数チャンネルの音声データを送信装置部から音声出力装置部に空間伝送する。即ち、リアスピーカ用のチャンネルの音声データも、映像表示面の近傍に配置される音声出力装置部に送信する。そして音声出力装置部では、リアスピーカを含む各チャンネルのスピーカを有するようにしている。つまり例えば５．１チャンネル音声データ等の複数チャンネル音声データを伝送し、全てのチャンネルの音声出力を音声出力装置部側で行う。【選択図】図１
2009267956.tif 000002
【特許請求の範囲】
【請求項１】
映像表示面と対向する側に配置されるとともに、上記映像表示面に表示される映像に付随する音声データとして、前方音のチャンネルの音声データと後方音のチャンネルの音声データを含む複数チャンネルの音声データを取得し、送信部から該複数チャンネルの音声データを空間伝送送信する送信装置部と、
少なくとも前方音と後方音を出力して音場空間を形成する複数チャンネルのスピーカと受信部を有した状態で上記映像表示面側に配置されるとともに、上記送信装置部から空間伝送送信されてくる複数チャンネルの音声データを上記受信部で受信し、受信した複数チャンネルの音声データから、上記各スピーカ用の音声信号を生成して上記各スピーカからの音声出力を行う音声出力装置部と、
を備える音声出力システム。
【請求項２】
上記音声出力装置部は、
上記前方音を出力するスピーカとして、センタースピーカ、フロント右スピーカ、フロント左スピーカを備え、
上記後方音を出力するスピーカとして、リア右スピーカ、リア左スピーカを備え、
上記センタースピーカ、上記フロント右スピーカ、上記フロント左スピーカ、上記リア右スピーカ、上記リア左スピーカは、一体的なユニットとして形成されている請求項１に記載の音声出力システム。
【請求項３】
上記音声出力装置部は、さらに、サブウーハースピーカを備える請求項２に記載の音声出力システム。
【請求項４】
上記送信装置部は、上記センタースピーカ、上記フロント右スピーカ、上記フロント左スピーカ、上記リア右スピーカ、上記リア左スピーカ、及び上記サブウーハースピーカに対応する５．１チャンネル音声データを上記送信部から空間伝送送信し、
上記音声出力装置部は、上記受信部で受信した５．１チャンネル音声データから、各スピーカ用の音声信号を生成して各スピーカからの音声出力を行う請求項３に記載の音声出力システム。
【請求項５】
上記サブウーハースピーカも、上記センタースピーカ、上記フロント右スピーカ、上記フロント左スピーカ、上記リア右スピーカ、上記リア左スピーカとともに一体的なユニットとして形成されている請求項３に記載の音声出力システム。
【請求項６】
映像表示面と対向する側に配置された送信装置部において、上記映像表示面に表示される映像に付随する音声データとして、前方音のチャンネルの音声データと後方音のチャンネルの音声データを含む複数チャンネルの音声データを取得し、送信部から該複数チャンネルの音声データを空間伝送送信するステップと、
少なくとも前方音と後方音を出力して音場空間を形成する複数チャンネルのスピーカと受信部を有した状態で上記映像表示面側に配置された音声出力装置部において、上記送信装置部から空間伝送送信されてくる複数チャンネルの音声データを上記受信部で受信し、受信した複数チャンネルの音声データから、上記各スピーカ用の音声信号を生成して上記各スピーカからの音声出力を行うステップと、
を備える音声出力方法。
【発明の詳細な説明】
【技術分野】
【０００１】
本発明は、音声出力システム及び音声出力方法に関し、例えばホームシアターシステムに適用して好適なものである。
【背景技術】
【０００２】
【特許文献１】特開２００６−１２６４６５号公報
【０００３】
従来、例えばホームシアターシステムなどのＡＶ（Audio Video）システムでは、テレビジョン放送用チューナやＤＶＤ（Digital Versatile Disc）再生装置等の音声データを取得して出力する機器にスピーカを接続することが必要となる。
【０００４】
この場合において、例えばＤＶＤ規格ではオーディオチャンネルとして５．１チャンネルが規定されており、スピーカとして少なくとも３個のフロントスピーカ、２個のリアスピーカ及び１個のサブウーハの合計６つのスピーカを用いるため、最低でも６本ものスピーカケーブルを配線する必要がある。そしてこのような配線作業は煩雑であり、また再生装置やアンプから多くのケーブルが引き回されるために設置後の美観を損ねる要因ともなっている。
そこで本出願人は先に、上記特許文献１に示される技術を提案した。これは、映像表示面としてスクリーンを用いるとともに、その映像表示面と対向する側にプロジェクタ及びＤＶＤプレーヤを配置するものである。例えばスクリーンは、部屋の壁面に沿って配置され、プロジェクタ及びＤＶＤプレーヤが、部屋の反対側やユーザの視聴位置の近くなどに配置される。スピーカは、例えばセンタースピーカ、フロント右スピーカ、フロント左スピーカ及びサブウーハースピーカがスクリーン近辺に配置される。また室内の後方（スクリーンの対向側）にリア右スピーカ、リア左スピーカが配置される。
ここで、スクリーン近辺に配置される各スピーカに対する音声信号を、ＤＶＤプレーヤから空間伝送することで、ＤＶＤプレーヤ側（ユーザがスクリーン側を向いた場合での部屋の後方）と、スクリーン側（部屋の前方）との間で、スピーカケーブルを引き回すことを解消したものである。
【発明の開示】
【発明が解決しようとする課題】
【０００５】
しかしながら上記特許文献１に示される技術では、依然、次のような問題は残されている。
スクリーン側（部屋の前方）に配置する各スピーカ（センタースピーカ、フロント右スピーカ、フロント左スピーカ及びサブウーハースピーカ）が、それぞれ空間伝送されるオーディオ信号の受信部を備える構成とすると、各スピーカの構成が複雑化し、コストアップを生ずる。さらに、空間伝送として赤外線伝送を用いる場合、その指向性の制限により、各スピーカの配置位置の自由度が制限されることもある。
一方、スクリーン側に１つの空間伝送受信ユニットを設け、受信したオーディオ信号を各スピーカに振り分ける構成の場合、上記コストや指向性による問題は解消できるが、その空間伝送受信ユニットとスクリーン側に配置する各スピーカの間でケーブル接続が必要になる。
【０００６】
また、ＤＶＤプレーヤ側（部屋の後方）では、リアスピーカと接続するケーブルが必要になる。ＤＶＤプレーヤと、リア右スピーカ、リア左スピーカの配置位置によっては、比較的長いケーブルが必要になる場合もある。
ＤＶＤプレーヤの本体にリアスピーカを搭載すれば、ケーブルは不要となるが、ＤＶＤプレーヤ内蔵型のスピーカは、非常に小型のスピーカを用いざるを得ず、高品位な後方音声を出力することが難しい。またその場合、ＤＶＤプレーヤの配置位置は、ユーザの都合によって決められるものであり、すると内蔵型のリアスピーカは必ずしも好適な位置に配置できない。
即ち、特にリアスピーカを設ける場合は、高品位音声出力とケーブル削減を両立させることが困難であった。
【０００７】
そこで本発明は、例えばホームシアターシステム等に採用できる音声出力システムとして、ケーブルの配線をさらに低減しつつ、高品位な音声出力を可能とすることを目的とする。
【課題を解決するための手段】
【０００８】
本発明の音声出力システムは、映像表示面と対向する側に配置されるとともに、上記映像表示面に表示される映像に付随する音声データとして、前方音のチャンネルの音声データと後方音のチャンネルの音声データを含む複数チャンネルの音声データを取得し、送信部から該複数チャンネルの音声データを空間伝送送信する送信装置部と、少なくとも前方音と後方音を出力して音場空間を形成する複数チャンネルのスピーカと受信部を有した状態で上記映像表示面側に配置されるとともに、上記送信装置部から空間伝送送信されてくる複数チャンネルの音声データを上記受信部で受信し、受信した複数チャンネルの音声データから、上記各スピーカ用の音声信号を生成して上記各スピーカからの音声出力を行う音声出力装置部とを備える。
【０００９】
また上記音声出力装置部は、上記前方音を出力するスピーカとして、センタースピーカ、フロント右スピーカ、フロント左スピーカを備え、上記後方音を出力するスピーカとして、リア右スピーカ、リア左スピーカを備える。そして上記センタースピーカ、上記フロント右スピーカ、上記フロント左スピーカ、上記リア右スピーカ、上記リア左スピーカは、一体的なユニットとして形成されているようにする。
また上記音声出力装置部は、さらに、サブウーハースピーカを備える。
また上記送信装置部は、上記センタースピーカ、上記フロント右スピーカ、上記フロント左スピーカ、上記リア右スピーカ、上記リア左スピーカ、及び上記サブウーハースピーカに対応する５．１チャンネル音声データを上記送信部から空間伝送送信し、上記音声出力装置部は、上記受信部で受信した５．１チャンネル音声データから、各スピーカ用の音声信号を生成して各スピーカからの音声出力を行う。
また上記サブウーハースピーカも、上記センタースピーカ、上記フロント右スピーカ、上記フロント左スピーカ、上記リア右スピーカ、上記リア左スピーカとともに一体的なユニットとして形成されているようにする。
【００１０】
このような本発明では、前方音のチャンネルの音声データと後方音のチャンネルの音声データを含む複数チャンネルの音声データを送信装置部から音声出力装置部に空間伝送する。即ち、リアスピーカ用のチャンネルの音声データも、映像表示面の近傍に配置される音声出力装置部に送信する。そして音声出力装置部では、リアスピーカを含む各チャンネルのスピーカを有するようにしている。つまり例えば５．１チャンネル音声データ等の複数チャンネル音声データを伝送し、全てのチャンネルの音声出力を音声出力装置部側で行う。
【発明の効果】
【００１１】
本発明によれば、音声出力装置部側、つまり映像表示面と対向する側にはスピーカを配置する必要はなく、これによって送信装置部の配置位置近辺（例えば上述した部屋の後方）において、スピーカケーブルの配線が不要になる。また音声出力装置部側では、複数のスピーカ及び受信部が一体のユニットで形成されていることで、ユニット内の各スピーカについての配線が不要となる。これらのことからスピーカケーブルの引き回しを最小限に削減できる。さらにサブウーハースピーカまで一体化すれば、スピーカケーブルの配線は全く不要となる。
これによって室内の美観、機器配置の自由度、機器設置の容易性などを向上でき、またシステムコストの低減を実現できる。
【発明を実施するための最良の形態】
【００１２】
以下、本発明の実施の形態を説明する。実施の形態では、図１（ａ）に示すようにプロジェクタ１、ディスクプレーヤ２、スクリーン３、スピーカユニット４、アンプ／サブウーハーユニット５を備えたホームシアターシステムを例に挙げる。この場合、ディスクプレーヤ２が本発明の送信装置部に相当し、スピーカユニット４及びアンプ／サブウーハーユニット５が、音声出力装置部に相当する。
なお、後述するがスピーカユニット４及びアンプ／サブウーハーユニット５が一体化された図１（ｂ）のスピーカ・アンプユニット６が設けられても良く、その場合は当該スピーカ・アンプユニット６が音声出力装置部に相当することになる。
【００１３】
図１（ａ）は、プロジェクタ１、ディスクプレーヤ２、スクリーン３、スピーカユニット４、アンプ／サブウーハーユニット５を備えたホームシアターシステムを示している。
室内において、例えば壁面に沿った位置に映像表示面としてスクリーン３が配置される。なお、スクリーン３は必ずしも配置しなくても、壁面自体をスクリーンとして使用するようにしても良い。
説明の便宜上、室内においてスクリーン３が配置される側を「部屋の前方」といい、スクリーン３に対向する側を「部屋の後方」ともいう。
【００１４】
スピーカユニット４は、部屋の前方のスクリーン３の近傍に配置される。このスピーカユニット４には、その正面側に、赤外線伝送信号を受信する受光部６０が設けられる。またスピーカユニット４内には、センタースピーカ５１、フロント左スピーカ５２、フロント右スピーカ５３、リア左スピーカ５４、リア右スピーカ５５が設けられてる。
アンプ／サブウーハーユニット５も、部屋の前方のスクリーン３の近傍に配置される。このアンプ／サブウーハーユニット５内には、サブウーハースピーカ５６と、全スピーカについて音声出力を実行するためのパワーアンプ回路系や、上記受光部６０の受信信号の復調系回路などが設けられている。
なお図示していないが、スピーカユニット４とアンプ／サブウーハーユニット５の間は、背面側に設けられた端子間などで、信号伝送のためのケーブル接続が行われる。
【００１５】
プロジェクタ１は、スクリーン３に対向する部屋の後方に配置される。
ディスクプレーヤ２は、プロジェクタ１の近傍に配置され、例えばプロジェクタ１との間でビデオケーブル９を介して接続されている。図では、ディスクプレーヤ２の上にプロジェクタ１を積み重ねて配置しているが、もちろん配置位置は任意である。ただし積み重ねることで短いビデオケーブル９で機器間を接続できることは言うまでもない。
なお、プロジェクタ１とディスクプレーヤ２を一体型の機器としてもよい。或いはプロジェクタ１とディスクプレーヤ２が図のように積み重ねた状態で、例えばプロジェクタ１の底面側とディスクプレーヤ２の上面側に設けられたコネクタ同士が接続されるように構成しても良い。これらの構成とすることで、ビデオケーブル９を不要とすることもできる。
【００１６】
ディスクプレーヤ２は、例えばＤＶＤやブルーレイディスク（Blu-ray Disc：登録商標）などのディスクメディアを再生することができる機器である。
ディスクプレーヤ２は、ディスクメディアから再生した映像信号をプロジェクタ１に供給する。プロジェクタ１は、供給された映像信号により、スクリーン３への映像投影を行う。
【００１７】
またディスクメディアからは、映像に付随する音声データとして、例えば５．１チャンネルの音声データが再生されるが、ディスクプレーヤ２は、再生された５．１チャンネルの音声データを、赤外線変調信号により空間伝送送信する。この５．１チャンネルの音声データについての赤外線変調信号は、スピーカユニット４の受光部６０で受信される。
このような音声データの空間伝送を行うため、ディスクプレーヤ２には図２（ａ）に示すように赤外線変調信号を送信出力する発光部２４が形成されている。
図２（ａ）は、ディスクプレーヤ２の正面図を示しているが、この図のように正面部には、ディスクメディアを挿入／脱却するディスクトレイ部２１や、ジョグダイヤル２２，キー２３などの各種の操作子が形成され、ユーザの取り扱いに供される。
これらとともに、所要部位に発光部２４が配置される。
【００１８】
図２（ｂ）（ｃ）に発光部２４の構造例を示している。発光部２４は、ドーム状（半球状）のフィルタカバー３２内に、赤外線変調信号を発光出力するＬＥＤ（Light Emitting Diode）３３が配置される構造を持つ。そしてフィルタカバー３２は、ディスクプレーヤ２の筐体に形成されているハウジング３１内に取り付けられる。この取付状態において発光部２４は、ハウジング３１内で制限される範囲で可動とされる。例えば全周囲２０°程度の可動範囲が確保される。
赤外線変調信号によって音声データを伝送する場合、到達距離を確保するために指向性を高めるようにされる。この場合、ディスクプレーヤ２とスピーカユニット４の配置関係によっては、必ずしも発光部２４が受光部６０の正面に来るものではないため、場合によっては指向性範囲から外れて良好な送受信ができにくくなる場合もある。そこで、室内でスピーカユニット４やディスクプレーヤ２の配置位置を決めた時点で、ユーザが手動で送信部２４の指向性範囲が、受光部６０に向けられるように送信部２４の方向を調整できるようにしている。
【００１９】
図３にディスクプレーヤ２の構成を示す。
ディスクプレーヤ２は、その内部構成として、再生機構部４１、復調回路部４２、変調回路部４３、発光駆動部４４、デコーダ４５、ビデオドライバ４６を有する。
再生機構部４１は、例えばＤＶＤ等のディスクメディアが装填された際に、そのディスクメディアに対して情報読み出し動作を行う。このため、ディスクメディアを回転駆動するスピンドル機構、ディスクメディアに対してレーザ照射を行い、その反射光情報として再生情報を読み取るピックアップ機構、反射光情報から電気信号としての再生情報信号やサーボ信号を生成するマトリクスアンプ回路、アナログ信号としての再生情報信号について２値化処理を行って再生信号データを得る復号回路、フォーカスサーボ、トラッキングサーボ、スピンドルサーボ等のサーボ動作を実行するサーボ機構及びサーボ制御回路部などを備える。
【００２０】
再生機構部４１で読み出された再生信号データは、復調回路部４２に供給される。
復調回路部４２は、供給される再生信号データに対して、ディスク記録フォーマットに応じたデコード処理や、誤り訂正処理等を行って、読み出し情報としての映像データ及び音声データをそれぞれ抽出する。そして復調回路部４２は、得られた映像データをデコーダ４５に送出する一方、音声データを空間伝送送信のための変調回路部４３に送出する。
【００２１】
例えばディスクメディアがＤＶＤであるとすると、復調回路部４２で復調された映像データは、ＤＶＤ規格で標準化されているＭＰＥＧ（Moving Picture image coding Experts Group）方式で圧縮符号化されている。
デコーダ４５は、供給される映像データに対してＭＰＥＧ方式のデコード処理を施し、得られたベースバンドの映像データをビデオドライバ４６に送出する。
【００２２】
ビデオドライバ４６は、供給される映像データに対し、ビデオケーブル９の抵抗負荷に起因する反射等を防止するための所定のマッチング処理を施し、得られた映像データをビデオケーブル９を介してプロジェクタ１に送出する。
プロジェクタ１は、供給される映像データに基づく映像をスクリーン３に向けて投影する。これによりディスクメディアから再生された映像がスクリーン３上に表示される。
【００２３】
一方、復調回路部４２から変調回路部４３に与えられる音声データは、例えば５．１チャンネル音声データであり、ＤＶＤ規格で標準化されているドルビーＡＣ３方式やＤＴＳ（Digital Theater Systems）方式で圧縮符号化されている。
変調回路部４３は、この圧縮符号化されている５．１チャンネル音声データに対して所定の赤外空間伝送方式に応じた所定のディジタル変調処理を施し、得られた変調音声信号を発光駆動部４４に印加する。発光駆動部４４は、変調音声信号に応じて、上述した発光部２４内のＬＥＤ３３を発光駆動（点滅駆動）する。
これによりこの変調音声信号に基づく赤外線伝送信号が、スピーカユニット４の受光部６０に向けて送信出力される。
【００２４】
なおこの実施の形態の場合、音声データを赤外空間伝送する際の赤外空間伝送方式として、ＩＥＣ（International Electrotechnical Commission）−６１６０３−８−１に規定されたプロトコルを利用している。このＩＥＣ−６１６０３−８−１は、音声データを赤外線で空間伝送するための規格であるが、伝送帯域幅が２．５ＭＨｚ、フルバンドモード時の伝送レートが３．０７２Ｍｂ／ｓｅｃであることから、圧縮符号化された音声データを伝送するには十分な帯域と伝送レートを確保でき、しかもサブキャリア周波数が既存の赤外線リモコン等の赤外線システムにおいて用いられているサブキャリア周波数から離れているため、これら他の赤外線システムにおける伝送信号との干渉を起こさせることなく、圧縮音声データを伝送できる。
【００２５】
次に図４に、スピーカユニット４及びアンプ／サブウーハーユニット５の内部構成を示す。
スピーカユニット４は、受光部６０と、センタースピーカ５１、フロント左スピーカ５２、フロント右スピーカ５３、リア左スピーカ５４、リア右スピーカ５５が設けらる。
アンプ／サブウーハーユニット５には、サブウーハースピーカ５６が設けられるとともに、赤外線伝送された音声データの復調系や、全スピーカに対する音声出力駆動系が設けられる。復調系として、復調部６７，オーディオデコード部６８が設けられる。また音声出力駆動系として、パワーアンプ６１〜６６、Ｄ／Ａ変換器７１〜７６、遅延回路６９，７０が設けられる。
【００２６】
スピーカユニット４における受光部６０は、例えばフォトダイオードによって、赤外線変調信号を受信する。この受光部６０は、受信した赤外線伝送信号を光電変換し、得られた変調音声信号を、アンプ／サブウーハーユニット５における復調部６７に送出する。
復調部６７は、供給された変調音声信号に対してエラー訂正処理を含む所定の復調処理を施し、空間伝送用の変調がなされた変調音声信号から、空間伝送前の元の音声データ、例えばこの場合、圧縮符号化された５．１チャンネルの音声データを得る。そしてこの圧縮符号化された５．１チャンネルの音声データをオーディオデコード部６８に送出する。
【００２７】
オーディオデコード部６８は、供給される音声データについて、ドルビーＡＣ３方式やＤＴＳ方式などに応じた所定の伸張処理を施すとともに、５．１チャンネルとしての各チャンネルのベースバンドの音声データを抽出する。
即ち、センタースピーカ５１に対する音声データＡｃ、フロント左スピーカ５２に対する音声データＡｆＬ、フロント右スピーカ５３に対する音声データＡｆＲ、リア左スピーカ５４に対する音声データＡｒＬ、リア右スピーカ５５に対する音声データＡｒＲ、サブウーハーユニット５に対する音声データＡｓｗを抽出する。
【００２８】
音声データＡｓｗは、Ｄ／Ａ変換器７６でアナログ音声信号に変換され、パワーアンプ６６で増幅され、サブウーハースピーカ５６に供給される。これによりこの音声データＡｓｗに基づく音声がサブウーハースピーカ５６から出力される。
音声データＡｃは、Ｄ／Ａ変換器７１でアナログ音声信号に変換され、パワーアンプ６１で増幅された後、スピーカユニット４内のセンタースピーカ５１に供給される。これにより音声データＡｃに基づく音声がセンタースピーカ５１から出力される。
音声データＡｆＬは、Ｄ／Ａ変換器７２でアナログ音声信号に変換され、パワーアンプ６２で増幅された後、スピーカユニット４内のフロント左スピーカ５２に供給される。これにより音声データＡｆＬに基づく音声がフロント左スピーカ５２から出力される。
音声データＡｆＲは、Ｄ／Ａ変換器７３でアナログ音声信号に変換され、パワーアンプ６３で増幅された後、スピーカユニット４内のフロント右スピーカ５３に供給される。これにより音声データＡｆＲに基づく音声がフロント右スピーカ５３から出力される。
【００２９】
音声データＡｒＬは、遅延回路６９で、所定の遅延時間が与えられた後、Ｄ／Ａ変換器７４でアナログ音声信号に変換されてパワーアンプ６４で増幅され、スピーカユニット４内のリア左スピーカ５４に供給される。これにより音声データＡｒＬに基づく音声がリア左スピーカ５４から出力される。
音声データＡｒＲは、遅延回路７０で、所定の遅延時間が与えられた後、Ｄ／Ａ変換器７５でアナログ音声信号に変換されてパワーアンプ６５で増幅され、スピーカユニット４内のリア右スピーカ５５に供給される。これにより音声データＡｒＲに基づく音声がリア右スピーカ５５から出力される。
なお、遅延回路６９、７０で遅延を与えているのは、リア左スピーカ５４、リア右スピーカ５５が、スピーカユニット４内に配置されることによる。即ち、リア左スピーカ５４、リア右スピーカ５５が部屋の前方に配置されるため、時間遅延を与えることで、擬似的にユーザにとってリア左スピーカ５４、リア右スピーカ５５の出力音声が後方配置されたスピーカによる出力音として知覚させるようにする。これによって全体としていわゆるサラウンド効果を得るようにするためである。
また図４では、リア左スピーカ５４、リア右スピーカ５５を外側に向けた配置状態を示しているが、このようにスピーカ放音面を外側に向けることで、より好適なサラウンド効果が得られる。
【００３０】
以上の図１〜図４で説明した構成により、本例では、ＤＶＤ等のディスクメディアからの再生データに基づく映像をスクリーン３上に投影する一方、これと同期して、当該映像に応じた音声を各スピーカ５１〜５６からそれぞれ出力することができる。
【００３１】
このような本実施の形態では、次のような効果が得られる。
リアスピーカ（リア左スピーカ５４、リア右スピーカ５５）は、スピーカユニット４内において、センタースピーカ５１、フロント左スピーカ５２、フロント右スピーカ５３とともに配置される。このため、部屋の後方においてリアスピーカを配置させる必要がない。このため、ディスクプレーヤ２とリアスピーカの間をスピーカケーブルを用いて接続する必要はなく、部屋の後方におけるスピーカケーブルの配線が解消される。
またこのことは、リアスピーカとの配線の都合を考慮してディスクプレーヤ２の配置位置の自由度が制限されるということもなくなる。
その上で、リアチャンネルも含む５．１チャンネルの音声データがスピーカユニット４に伝送され、リア左スピーカ５４からはリア左チャンネルの音声データＡｒＬ、リア右スピーカ５５からはリア右チャンネルの音声データＡｒＲによる出力が行われるため、高品質なサラウンド音声による音場空間を実現できる。
【００３２】
また、部屋の前方に配置されるスピーカユニット４及びアンプ／サブウーハーユニット５においては、これらの間が１つの受光信号ラインと５つのスピーカラインを含む１本の専用ケーブルで接続されれば良く、各スピーカを個別配置するような場合のようにスピーカケーブルが多数必要になることがない。
また、１つの受光部６０で受信した変調音声信号を復調部６７及びオーディオデコード部６８で復調し、各スピーカ５１〜５６の音声データを得ることで、各スピーカにそれぞれ対応して受光部や復調系を備える必要もない。
【００３３】
そして本例では、スピーカケーブルの最小限化（例えばスピーカケーブルとしては、スピーカユニット４とアンプ／サブウーハーユニット５の間の上記の専用ケーブルのみ必要）により、室内の美観の向上、機器配置の自由度の向上、機器設置の際の煩雑なケーブル接続作業の解消などを実現でき、またシステムコストの低減を実現できる。
【００３４】
ところで、図１（ｂ）に示すスピーカ・アンプユニット６を用いる構成も考えられる。これは、図１（ａ）のスピーカユニット４とアンプ／サブウーハーユニット５を一体化したものである。即ち図４の構成を、そのまま１つのスピーカ・アンプユニット６とし、このスピーカ・アンプユニット６をスクリーン３の下部などに配置する。
この構成を用いる場合、スピーカケーブルの接続は全く不要になり、室内配置システムとしてより好適となる。
【００３５】
なお本発明は、上記のようにディスクプレーヤ２の再生音声を伝送するシステムだけでなく、多様な音声出力システムに適用できる。
【図面の簡単な説明】
【００３６】
【図１】本発明の実施の形態のシステム構成の説明図である。
【図２】実施の形態のディスクプレーヤの説明図である。
【図３】実施の形態のディスクプレーヤのブロック図である。
【図４】実施の形態のスピーカユニット及びアンプ／サブウーハーユニットのブロック図である。
【符号の説明】
【００３７】
１  プロジェクタ、２  ディスクプレーヤ、３  スクリーン、４  スピーカユニット、５  アンプ／サブウーハーユニット、６  スピーカ・アンプユニット、２４  発光部、４１  再生機構部、４２  復調回路部、４３  変調回路部、４４  発光駆動部、４５  デコーダ、４６  ビデオドライバ、５１  センタースピーカ、５２  フロント左スピーカ、５３  フロント右スピーカ、５４  リア左スピーカ、５５  リア右スピーカ、５６  サブウーハースピーカ、６０  受光部、６１〜６５  パワーアンプ、６７  復調部、６８  オーディオデコード部、６９，７０  遅延回路、７１〜７６  Ｄ／Ａ変換器
【図１】
2009267956.tif 000003
【図２】
2009267956.tif 000004
【図３】
2009267956.tif 000005
【図４】
2009267956.tif 000006